(57)【要約】【課題】天井等の突張り対象面や家具、あるいは、ねじの損傷を防止することができる突張り装置を提供することである。【解決手段】家具１の上面に設けられた固定ガイド枠３内に突張り部材５をスライド自在に嵌合し、その突張り部材５に設けられたねじ孔１１に固定ガイド枠３で回転自在に支持されたねじ軸１２をねじ係合する。ねじ軸１２を家具１の内部から回動操作される操作軸部１４とねじ軸部１３とに分割し、その分割部にトルクリミッタ３０を組込む。操作軸部１４を回転し、その回転をねじ軸部１３に伝達して突張り部材５を天井に向けて移動させる。その突張り部材５が天井を押圧し、その押圧によりねじ軸部１３の回転抵抗が増大し、その回転抵抗がトルクリミッタ３０の設定値に達したとき、そのトルクリミッタ３０の作動により操作軸部１４からねじ軸部１３への回転伝達を遮断して、突張り部材５が天井を押圧する押圧力が増大するのを防止する。【選択図】図２
2010094256.tif 000002
【特許請求の範囲】
【請求項１】
家具の上面または側面に設けられる固定ガイド枠と、その固定ガイド枠に嵌合されたスライド可能な突張り部材と、前記固定ガイド枠に回転自在に支持され、突張り部材に形成されたねじ孔にねじ係合するねじ軸とからなり、前記家具の内側からねじ軸を回動して突張り部材を突張り対象面に向けて移動させ、その突張り部材で突張り対象面を押圧して家具の転倒を防止する家具の突張り装置において、
前記ねじ軸を回動操作される操作軸部とねじ軸部とに２分割し、その分割部に操作軸部の回転をねじ軸部に伝達し、ねじ軸部に作用する回転負荷が設定値を超えた際にねじ軸部への回転伝達を遮断するトルクリミッタを設けたことを特徴とする家具の突張り装置。
【請求項２】
前記トルクリミッタが、操作軸部の分離端に一体に設けられた円盤の端面中央に前記ねじ軸部の分離端に形成された丸軸部が回転自在に挿入される丸孔を設け、かつ、円盤の外周から丸孔に至る半径方向孔を形成し、その半径方向孔内にボールと、そのボールを丸軸部の外周に向けて押圧する弾性部材とを組込んで抜止めし、前記丸軸部にはボールの一部が係合する係合部を形成した構成からなる請求項１に記載の家具の突張り装置。
【請求項３】
前記係合部が、ボールの球径より小径の貫通孔または球形凹部からなる請求項２に記載の家具の突張り装置。
【発明の詳細な説明】
【技術分野】
【０００１】
この発明は、室内に置かれた家具が地震による振動で転倒するのを防止する家具の突張り装置に関する。
【背景技術】
【０００２】
地震による振動で家具が転倒するのを防止する突張り装置として特許文献１に記載されたものが従来から知られている。この突張り装置においては、家具の天板上面に角形のガイド枠を固定し、そのガイド枠内に突張り部材をスライド自在に嵌合し、上記ガイド枠によって回転自在に支持されたねじ軸を突張り部材に固定されたナットにねじ係合し、そのねじ軸をハンドル操作により家具の内側から回転して、突張り部材を天井面に向けて移動させ、その突張り部材が上記天井面を押圧する突張り力によって家具の転倒を防止するようにしている。
【０００３】
【特許文献１】特開２００４−１９５７５４号公報
【発明の開示】
【発明が解決しようとする課題】
【０００４】
ところで、上記従来の突張り装置においては、突張り部材が天井面を押圧することにより、ねじ軸の回転抵抗が大きくなって、そのねじ軸を回転させることが困難になるが、ねじ軸を際限なく回し続けることができるため、突張り部材の押圧およびその反力により天井や家具を損傷させ、あるいは、ねじ軸の雄ねじやナットの雌ねじを損傷させるおそれがある。
【０００５】
この発明の課題は、天井等の突張り対象面や家具、あるいは、ねじの損傷を防止することができるようにすることである。
【課題を解決するための手段】
【０００６】
上記の課題を解決するために、この発明においては、家具の上面または側面に設けられる固定ガイド枠と、その固定ガイド枠に嵌合されたスライド可能な突張り部材と、前記固定ガイド枠に回転自在に支持され、突張り部材に形成されたねじ孔にねじ係合するねじ軸とからなり、前記家具の内側からねじ軸を回動して突張り部材を突張り対象面に向けて移動させ、その突張り部材で突張り対象面を押圧して家具の転倒を防止する家具の突張り装置において、前記ねじ軸を回動操作される操作軸部とねじ軸部とに２分割し、その分割部に操作軸部の回転をねじ軸部に伝達し、ねじ軸部に作用する回転負荷が設定値を超えた際にねじ軸部への回転伝達を遮断するトルクリミッタを設けた構成を採用したのである。
【０００７】
上記の構成からなる家具の突張り装置を家具の天板上にセットした状態において、家具の内側から操作軸部を回転すると、その回転はねじ軸部に伝達され、突張り部材が突張り対象面としての天井に向けて移動する。その突張り部材が天井に当接し、その当接状態からさらに突張り部材が上昇すると、その突張り部材が天井を押圧する。その押圧により、ねじ軸部の回転抵抗が増し、その回転抵抗がトルクリミッタの設定値に達すると、トルクリミッタが切れ、操作軸部からねじ軸部への回転伝達が遮断される。
【０００８】
このため、操作軸部が回し続けられたとしても、突張り部材が天井を押圧する押圧力は増大せずに一定値に保持されることになり、天井や家具、あるいは、ねじ軸部のねじを損傷させることはない。また、突張り部材が天井を押圧することにより、家具に突張り力が負荷されるため、家具の転倒が防止される。
【０００９】
ここで、トルクリミッタとして、操作軸部の分離端に一体に設けられた円盤の端面中央に前記ねじ軸部の分離端に形成された丸軸部が回転自在に挿入される丸孔を設け、かつ、円盤の外周から丸孔に至る半径方向孔を形成し、その半径方向孔内にボールと、そのボールを丸軸部の外周に向けて押圧する弾性部材とを組込んで抜止めし、前記丸軸部にはボールの一部が係合する係合部を形成した構成からなるものを採用することにより、そのトルクリミッタは軸方向長さがコンパクトであるため、トルクリミッタの組込みのために大きなスペースを確保する必要がない。
【００１０】
上記のトルクリミッタにおいて、係合部は、ボールの球径より小径の貫通孔であってもよく、あるいは、球形凹部からなるものであってもよい。
【発明の効果】
【００１１】
上記のように、この発明においては、突張り部材が天井等の突張り対象面を押圧し、その押圧によりねじ軸部に回転抵抗が負荷され、その回転抵抗がトルクリミッタの設定値に達すると、トルクリミッタが切れて、操作軸部からねじ軸部への回転伝達が遮断されるため、突張り部材が突張り対象面を押圧する押圧力は一定に保持されることになり、上記突張り対象面や家具、あるいは、ねじ軸部のねじの損傷を防止することができる。
【発明を実施するための最良の形態】
【００１２】
以下、この発明の実施の形態を図面に基づいて説明する。図１および図２に示すように、家具１の天板２の上面には方形状の固定ガイド枠３が取り付けられている。
【００１３】
固定ガイド枠３は、底板４を有し、その底板４上において、固定ガイド枠３内に突張り部材５が組込まれている。突張り部材５は方形枠状とされ、上記固定ガイド枠３の内周に沿って上下方向にスライド自在とされている。
【００１４】
突張り部材５の一組の対向辺材の上部間にはステー６が渡され、そのステー６の下面にスライド枠７が取付けられている。図５に示すように、スライド枠７は、板体７ａの両側から上向きに一対の側板７ｂを設け、各側板７ｂの上端から外向きに取付板７ｃを設けた構成とされ、上記取付板７ｃがステー６にねじ止め等の手段で固定されている。
【００１５】
図２に示すように、固定ガイド枠３の底板４上面には、上記スライド枠７と上下で対向する位置に支持台８が取り付けられている。支持台８は、上下で対向する２枚の板体８ａ、８ｂを有し、その上部板体８ａと下部板体８ｂ間に間隔が設けられている。
【００１６】
支持台８上には、スライド枠７をスライド自在に案内する案内枠９が設けられている。図５に示すように、案内枠９は板体９ａの両端から下向きに一対の端板９ｂを設け、各端板９の下端に外向きに取付板９ｃを設けた構成とされ、上記取付板９ｃが支持台８の上部板体８ａにねじ止め等の手段で固定されている。
【００１７】
ここで、案内枠９の一対の端板９ｂの対向面間の寸法はスライド枠７の板体７ａの両端縁間の寸法に略等しく、その一対の端板９ｂの内面によってスライド枠７の板体７ａをスライド自在に案内するようになっている。
【００１８】
図２および図３に示すように、スライド枠７の板体７ａには、その上面に対するナット１０の取付けによりねじ孔１１が形成され、そのねじ孔１１にねじ軸１２がねじ係合されている。
【００１９】
ねじ軸１２は、軸方向に２分割されて、ねじ軸部１３と操作軸部１４とが設けられ、上記ねじ軸部１３の分割端には小径の丸軸部１５が設けられている。丸軸部１５はねじ軸部１３に対する付け根と近接する部位にフランジ１６を有している。
【００２０】
丸軸部１５は、支持台８の上部板体８ａに形成された貫通孔１７内に挿通されて回転自在に支持され、止め輪１８の取付けにより貫通孔１７から上方に抜け出るのが防止されている。
【００２１】
操作軸部１４は支持台８の下部板体８ｂに形成された孔１９から天板２に設けられたハンドル挿入孔２０内に挿入されて回転自在に支持され、上記ハンドル挿入孔２０に図６に示すハンドルＨを挿入すると、そのハンドルＨに設けられたピンｐが操作軸部１４の下端に形成された切欠き２１に係合し、上記ハンドルＨによって家具１の内側から操作軸部１４を回動操作し得るようになっている。
【００２２】
図３に示すように、ねじ軸部１３と操作軸部１４の分割部には、操作軸部１４の回転をねじ軸部１３に伝達し、ねじ軸部１３に作用する回転負荷が設定値を超えた際にねじ軸部１３への回転伝達を遮断するトルクリミッタ３０が設けられている。
【００２３】
トルクリミッタ３０は、操作軸部１４の分離端に一体に設けられた円盤３１の端面中央にねじ軸部１３の丸軸部１５が回転自在に挿入される丸孔３２を設け、かつ、円盤３１の外周から丸孔３２に至る複数の半径方向孔３３を形成し、各半径方向孔３３内にボール３４と、そのボール３４を丸軸部１５の外周に押し付ける弾性部材３５とを組込んで、半径方向孔３３の開口端部内にねじ込まれた止めねじ３６で抜止めし、上記丸軸部１５にはボール３４の一部が係合する係合部３７を形成した構成とされている。
【００２４】
係合部３７として、ここでは、ボール３４の球径より小径とされて丸軸部１５を径方向に貫通する貫通孔を示したが、係合部３７はこれに限定されない。例えば、球形の凹部であってもよい。
【００２５】
実施の形態で示す家具の突張り装置は上記の構成からなり、家具１の内側から
ハンドル挿入孔２０内にハンドルＨを挿入し、そのハンドルＨのピンｐを操作軸部１４の切欠き２１に係合して、そのハンドル操作により操作軸部１４を回転すると、その操作軸部１４の回転はトルクリミッタ３０を介してねじ軸部１３に伝達され、そのねじ軸部１３の回転により突張り部材５が天井に対して移動する。
【００２６】
そこで、上記ねじ軸部１３の回転により突張り部材５を天井に向けて移動させると、その突張り部材５が天井に当接し、その当接状態からさらに突張り部材５が上昇すると、図６に示すように、その突張り部材５が天井Ａを押圧する。その押圧により、ねじ軸部１３の回転抵抗が増し、その回転抵抗がトルクリミッタ３０の設定値に達すると、図４に示すように、ボール３４は係合部３７から外れて丸軸部１５の外径面上を転動し、トルクリミッタ３０は切れた状態になって操作軸部１４からねじ軸部１３への回転伝達が遮断される。
【００２７】
このように、突張り部材５が天井Ａを押圧し、その押圧によりねじ軸部１３に回転抵抗が負荷され、その回転抵抗がトルクリミッタ３０の設定値に達すると、トルクリミッタ３０が切れて、操作軸部１４からねじ軸部１３への回転伝達が遮断されるため、突張り部材５が天井面を押圧する押圧力は一定に保持されることになる。このため、天井Ａや家具１、あるいは、ねじ軸部１３のねじを損傷させるようなことはない。
【００２８】
また、突張り部材５が天井Ａを押圧することにより、家具１に突張り力が負荷されるため、家具１の転倒が防止される。
【００２９】
実施の形態では家具１の天板２上面に突張り装置を設けたが、家具１の側面に突張り装置を設け、突張り部材５で壁を押圧して家具１の倒れを防止するようにしてもよい。
【図面の簡単な説明】
【００３０】
【図１】この発明に係る家具の突張り装置の実施の形態を示す斜視図
【図２】この発明に係る家具の突張り装置の断面図
【図３】トルクリミッタ部を拡大して示す断面図
【図４】トルクリミッタの切れ状態を示す断面図
【図５】スライド枠、案内枠、支持台およびトルクリミッタを示す分解斜視図
【図６】突張り装置の突張り状態を示す断面図
【符号の説明】
【００３１】
１    家具
３    固定ガイド枠
５    突張り部材
１１  ねじ孔
１２  ねじ軸
１３  ねじ軸部
１４  操作軸部
１５  丸軸部
３０  トルクリミッタ
３１  円盤
３２  丸孔
３３  半径方向孔
３４  ボール
３５  弾性部材
３７  係合部
【図１】
2010094256.tif 000003
【図２】
2010094256.tif 000004
【図３】
2010094256.tif 000005
【図４】
2010094256.tif 000006
【図５】
2010094256.tif 000007
【図６】
2010094256.tif 000008